(57)【要約】【課題】  セパレーターの傾きを抑えることができ、かつ、施工が容易な、セパレーターの支持構造を提供する。【解決手段】  支持構造５は、山留壁１と型わく２との間の打設空間３に、コンクリート類を打設してコンクリート類構築物を形成するにあたって、型わく２を所定位置に保持するためのセパレーター４の、山留壁１側を支持するものである。この支持構造５は、横材６とセパレーター支持部材７とを備える。横材６は、打設空間３内において山留壁１に沿って横に延びるように配置される。セパレーター支持部材７は、横材６に取り付けられてセパレーター４の山留壁１側を支持する。そして、セパレーター支持部材７には、横材６にその横材６の延びる横方向Ｐに移動可能に係合するフック部７ｃと、セパレーター４の山留壁１側の端部がねじ込まれる雌ねじ部７ｂとが設けられる。【選択図】  図１
2015083751.tif 000002
【特許請求の範囲】
【請求項１】
山留壁、板壁等の壁体とその壁体に対向位置する型わくとの間の打設空間に、コンクリート類を打設してコンクリート類構築物を形成するにあたって、前記型わくを所定位置に保持するためのセパレーターの、前記壁体側での支持構造であって、
前記打設空間内において壁体に沿って横に延びるように配置される横材と、その横材に取り付けられて前記セパレーターの前記壁体側を支持するセパレーター支持部材とを備え、
前記セパレーター支持部材には、前記横材にその横材の延びる横方向に移動可能に係合する係合部と、前記セパレーターの前記壁体側の端部がねじ込まれる雌ねじ部とが設けられている、セパレーターの支持構造。
【請求項２】
前記係合部は、前記横材の背後側から前側に折れ曲がるように形成されて前記横材に上から掛けられるフック部からなる、請求項１に記載のセパレーターの支持構造。
【請求項３】
前記セパレーター支持部材は、前記フック部から前記横材の背後側をその横材よりも下方まで延びて形成されて、その横材よりも下方の部分に、前記雌ねじ部が設けられる、請求項２に記載のセパレーターの支持構造。
【請求項４】
前記横材は、所定間隔を隔てて縦に並ぶように複数段設けられ、前記セパレーター支持部材は、前記横材の各段に対し複数取り付けられる、請求項１ないし３のいずれか１項に記載のセパレーターの支持構造。
【請求項５】
山留壁、板壁等の壁体とその壁体に対向位置する型わくとの間の打設空間に、コンクリート類を打設してコンクリート類構築物を形成するにあたって、前記打設空間内において壁体に沿って横に延びるように配置される横材に取り付けられて、前記型わくを所定位置に保持するためのセパレーターの前記壁体側を支持する、セパレーター支持部材であって、
前記横材に、その横材の延びる横方向に移動可能に係合する係合部と、前記セパレーターの前記壁体側の端部がねじ込まれる雌ねじ部とが設けられている、セパレーター支持部材。
【請求項６】
前記係合部は、折り返されるように形成されて前記横材に掛けられるフック部からなり、
前記セパレーター支持部材は、前記フック部から延設される延設部を有して、その延設部に、前記雌ねじ部が設けられる、請求項５に記載のセパレーター支持部材。
【発明の詳細な説明】
【技術分野】
【０００１】
この発明は、コンクリート類構築物を形成するにあたって、型わくに用いられるセパレーターの支持構造、およびセパレーター支持部材に関するものである。
【背景技術】
【０００２】
従来、コンクリート類構築物を形成するにあたっては、対向位置する型わくを所定の間隔に保持するために、セパレーターや、そのセパレーターを型わくに固定するための締付け金物が用いられた（例えば、非特許文献１参照）。
【０００３】
これに対し、対向位置する型わくの一方が、例えば山留壁で置き替わるような場合には、セパレーターの山留壁側の端部を支持するために、一般に長ナットが用いられた。すなわち、山留壁を構成する例えばＨ形鋼（親杭、応力材）に対し、直接あるいは介在物を介して、長ナットが溶接固定された。そして、その長ナットに、セパレーターの山留壁側の端部がねじ込まれ、これによって、このセパレーターの山留壁側の端部が支持された。
【先行技術文献】
【非特許文献】
【０００４】
【非特許文献１】「図説建築用語事典」、第１７刷、実業出版株式会社、１９９１年４月２０日、ｐ．２３９セパレーター
【発明の概要】
【発明が解決しようとする課題】
【０００５】
ところで、前記従来の、セパレーターの山留壁側の端部の支持にあたっては、山留壁側に溶接固定された長ナットが用いられていたが、長ナットを溶接固定する位置が正確でない場合には、型わく側との関係で、セパレーターが傾いてしまい好ましくなかった。
【０００６】
この発明は、上記した従来の欠点を解決するためになされたものであり、その目的とするところは、セパレーターの傾きを抑えることができ、かつ、施工が容易な、セパレーターの支持構造、およびセパレーター支持部材を提供することにある。
【課題を解決するための手段】
【０００７】
この発明に係るセパレーターの支持構造、およびセパレーター支持部材は、前記目的を達成するために、次の構成からなる。すなわち、
請求項１に記載の発明に係るセパレーターの支持構造は、山留壁、板壁等の壁体とその壁体に対向位置する型わくとの間の打設空間に、コンクリート類を打設してコンクリート類構築物を形成するにあたって、前記型わくを所定位置に保持するためのセパレーターの、前記壁体側での支持構造である。この支持構造は、前記打設空間内において壁体に沿って横に延びるように配置される横材と、その横材に取り付けられて前記セパレーターの前記壁体側を支持するセパレーター支持部材とを備える。そこで、前記セパレーター支持部材には、前記横材にその横材の延びる横方向に移動可能に係合する係合部と、前記セパレーターの前記壁体側の端部がねじ込まれる雌ねじ部とが設けられている。
【０００８】
このセパレーターの支持構造によると、セパレーター支持部材には、横材の延びる横方向に移動可能に係合する係合部が設けられている。そして、セパレーターの壁体側の端部が、セパレーター支持部材に設けられた雌ねじ部にねじ込まれる。このため、セパレーターの壁体側の端部は、セパレーターと共に、横材の延びる横方向に移動可能となり、その横方向の位置を調整することができる。そこで、セパレーターの、壁体側とは反対側の端部を、型わくに固定するにあたって、セパレーターの壁体側の端部の横方向の位置が調整され、このセパレーターの傾きが抑えられる。また、セパレーターは、横材に係合して取り付けられるため、その横材に溶接固定する必要がなく、その施工が容易となる。
【０００９】
また、請求項２に記載の発明に係るセパレーターの支持構造は、請求項１に記載の支持構造において、前記係合部は、前記横材の背後側から前側に折れ曲がるように形成されて前記横材に上から掛けられるフック部からなる。
【００１０】
また、請求項３に記載の発明に係るセパレーターの支持構造は、請求項２に記載の支持構造において、前記セパレーター支持部材は、前記フック部から前記横材の背後側をその横材よりも下方まで延びて形成されて、その横材よりも下方の部分に、前記雌ねじ部が設けられる。こうして、セパレーター支持部材が、横材の背後側に位置するように配置されることで、型わくにかかるコンクリート類の圧力を、セパレーターに続くセパレーター支持部材および横材で、効果的に受け止めることができる。
【００１１】
また、請求項４に記載の発明に係るセパレーターの支持構造は、請求項１ないし３のいずれか１項に記載の支持構造において、前記横材は、所定間隔を隔てて縦に並ぶように複数段設けられ、前記セパレーター支持部材は、前記横材の各段に対し複数取り付けられる。
【００１２】
また、請求項５に記載の発明に係るセパレーター支持部材は、山留壁、板壁等の壁体とその壁体に対向位置する型わくとの間の打設空間に、コンクリート類を打設してコンクリート類構築物を形成するにあたって、前記打設空間内において壁体に沿って横に延びるように配置される横材に取り付けられて、前記型わくを所定位置に保持するためのセパレーターの前記壁体側を支持する、セパレーター支持部材である。このセパレーター支持部材には、前記横材に、その横材の延びる横方向に移動可能に係合する係合部と、前記セパレーターの前記壁体側の端部がねじ込まれる雌ねじ部とが設けられている。
【００１３】
このセパレーター支持部材によると、セパレーター支持部材には、横材の延びる横方向に移動可能に係合する係合部が設けられている。そして、セパレーターの壁体側の端部が、セパレーター支持部材に設けられた雌ねじ部にねじ込まれる。このため、セパレーターの壁体側の端部は、セパレーターと共に、横材の延びる横方向に移動可能となり、その横方向の位置を調整することができる。そこで、セパレーターの、壁体側とは反対側の端部を、型わくに固定するにあたって、セパレーターの壁体側の端部の横方向の位置が調整され、このセパレーターの傾きが抑えられる。また、セパレーターは、横材に係合して取り付けられるため、その横材に溶接固定する必要がなく、施工が容易となる。
【００１４】
また、請求項６に記載の発明に係るセパレーター支持部材は、請求項５に記載のセパレーター支持部材において、前記係合部は、折り返されるように形成されて前記横材に掛けられるフック部からなる。そして、前記セパレーター支持部材は、前記フック部から延設される延設部を有して、その延設部に、前記雌ねじ部が設けられる。
【発明の効果】
【００１５】
この発明に係るセパレーターの支持構造、およびセパレーター支持部材によれば、セパレーターの壁体側の端部がねじ込まれるセパレーター支持部材が、横方向に移動可能となっているため、その位置が調整されてセパレーターの傾きを抑えることができ、かつ、セパレーター支持部材を溶接固定する必要がなく施工が容易である。
【図面の簡単な説明】
【００１６】
【図１】この発明の一実施の形態の側面図である。
【図２】同じく、斜視図である。
【図３】同じく、セパレーター支持部材の拡大斜視図である。
【発明を実施するための形態】
【００１７】
以下、この発明に係るセパレーターの支持構造、およびセパレーター支持部材を実施するための形態を図面に基づいて説明する。
【００１８】
図１〜図３は、本発明の一実施の形態を示す。図中符号１は、壁体としての、山留されて形成された山留壁を示す。２は、前記山留壁１に対向位置する型わく、つまり所謂片壁工法における型わくを示す。３は、前記山留壁１と前記型わく２との間の、コンクリート類の打設空間を示す。ここで、コンクリート類とは、コンクリート、モルタルなどのセメント混練物からなる硬化材料をいう。４は、セパレーターを示し、このセパレーター４は、前記打設空間３にコンクリート類を打設してコンクリート類構築物を形成するにあたって、前記型わく２を所定位置に保持するためのものである。５は、前記セパレーター４の山留壁１側での支持構造を示す。
【００１９】
この支持構造５は、打設空間３内において山留壁１に沿って横に延びるように配置される横材６と、その横材６に取り付けられてセパレーター４の山留壁１側を支持するセパレーター支持部材７とを備える。そこで、セパレーター支持部材７には、横材６にその横材６の延びる横方向Ｐに移動可能に係合する係合部７ａと、セパレーター４の山留壁１側の端部がねじ込まれる雌ねじ部７ｂとが設けられる。
【００２０】
詳細には、係合部７ａは、横材６の背後側から前側に折れ曲がるように形成されて横材６に上から掛けられるフック部７ｃからなる。そして、セパレーター支持部材７は、このフック部７ｃから横材６の背後側をその横材６よりも下方まで延びて形成されて、その横材６よりも下方の部分に、前記雌ねじ部７ｂが設けられる。
【００２１】
具体的には、山留壁１と型わく２との間に形成されるコンクリート類構築物は、例えば、ビル等の建設にあたって、掘削された穴に構築されるコンクリート基礎等、その他のコンクリート類製の構築物である。なお、図中符号Ｗは、その穴の床面を示し、この床面Ｗは、例えば、ステコンとかスラブコン等によって形成される。
【００２２】
山留壁１は、例えばソイルセメント壁からなり、そのソイルセメント壁には、適宜間隔で、応力材（構造材）１ａとして用いられるＨ形鋼が立設配置される。そして、これら応力材１ａ、１ａのそれぞれに、縦に並ぶように、介在物としてのネコアングル８、８が前方に突出するようにして固定（詳しくは、溶接固定）される。そこで、前記横材６が、各応力材１ａに設けられたネコアングル８に渡されるようにして固定（溶接固定）される。こうして、横材６は、所定間隔を隔てて縦に並ぶように複数段設けられる。この横材６は、図示実施の形態においては、山形鋼（アングル）からなり、その長手方向となる横方向Ｐに延びて略鉛直に起立する鉛直板部６ａと、その鉛直板部６ａから前方に折れ曲がった水平板部６ｂとを有する。
【００２３】
セパレーター支持部材７は、例えば鋼板からなる。このセパレーター支持部材７の係合部７ａは、折り返されるように形成されて前記横材６（詳しくは、鉛直板部６ａ）に掛けられるフック部７ｃからなる。そして、セパレーター支持部材７は、フック部７ｃから延設される（図示実施の形態においては、フック部７ｃを構成する一方の板部７ｄであって、横材６の背後側の板部から下方に延設される）延設部７ｅを有して、その延設部７ｅに、前記雌ねじ部７ｂが設けられる。この雌ねじ部７ｂは、図示実施の形態においては、バーリング加工による孔に設けられているが、セパレーター支持部材７の板厚によっては、バーリング加工することなくその板厚分の孔に設けてもよく、また、雌ねじ部７ｂを有するナットを溶接等により固定することで設けてもよい。そして、このセパレーター支持部材７は、横材６、６の各段に対し複数設けられる。
【００２４】
また、セパレーター支持部材７は、フック部７ｃの前面部先端面、すなわち、一方の板部７ｄに対向する他方の板部７ｆの先端面（つまり、下端面）が、下方ほど一方の板部７ｄ側に進むように傾斜した傾斜面７ｇとなっている。さらに、図示実施の形態においては、その傾斜面７ｇにおける一方の板部７ｄ側は、平面により面取り７ｈが施されている。
【００２５】
セパレーター４は、棒状に形成されて、その軸の一端部に設けられた雄ねじ４ａがセパレーター支持部材７の雌ねじ部７ｂにねじ込まれる。そして、このセパレーター４は、山留壁１側とは反対側の端部が、締付け金物９を用いて型わく２に固定される。なお、図中符号１０は、ピーコンとか木コン等のコーンを示し、１１は、締付け金物９、９間に渡される角パイプを示す。
【００２６】
次に、以上の構成からなるセパレーターの支持構造５、およびセパレーター支持部材７の作用効果について説明する。このセパレーターの支持構造５およびセパレーター支持部材７によると、セパレーター支持部材７には、横材６の延びる横方向Ｐに移動可能に係合する係合部７ａ（詳しくは、フック部７ｃ）が設けられている。そして、セパレーター４の山留壁１側の端部が、セパレーター支持部材７に設けられた雌ねじ部７ｂにねじ込まれる。このため、セパレーター４の山留壁１側の端部は、セパレーター４と共に、横材６の延びる横方向Ｐに移動可能となり、その横方向Ｐの位置を調整することができる。そこで、セパレーター４の、山留壁１側とは反対側の端部を、締付け金物９を用いて型わく２に固定するにあたって、セパレーター４の山留壁１側の端部の横方向Ｐの位置が調整され、このセパレーター４の傾き（詳しくは、横方向Ｐの傾き）が抑えられる。また、セパレーター４は、横材６に係合して取り付けられるため、その横材６に溶接固定する必要がなく、その施工が容易となる。すなわち、セパレーター４の山留壁１側の端部がねじ込まれるセパレーター支持部材７が、横方向Ｐに移動可能となっているため、その位置が調整されてセパレーター４の傾き（詳しくは、横方向Ｐの傾き）を抑えることができ、かつ、セパレーター支持部材７を溶接固定する必要がなく施工が容易となる。
【００２７】
また、セパレーター支持部材７は、そのフック部７ｃから横材６の背後側をその横材６よりも下方まで延びて形成され、その横材６よりも下方の部分に、セパレーター４がねじ込まれる雌ねじ部７ｂが設けられる。こうして、セパレーター支持部材７が、横材６の背後側に位置するように配置されることで、型わく２にかかるコンクリート類の圧力を、セパレーター４に続くセパレーター支持部材７および横材６で、効果的に受け止めることができる。すなわち、打設されたコンクリート類の圧力によって、セパレーター４が型わく２側に引かれる力を、セパレーター支持部材７を介して、その前側の横材６で的確に受け止めることができる。
【００２８】
なお、本発明は、上述した実施の形態に限定されるわけではなく、その他種々の変更が可能である。例えば、山留壁１は、ソイルセメント壁からならなくとも、親杭（構造材）として例えばＨ鋼が用いられた親杭横矢板壁とか、鉄矢板（構造材）が並ぶ鉄矢板壁とか、あるいはその他の工法からなる山留壁からなっていてもよい。
【００２９】
また、横材６は、山留壁１に固定（図示実施の形態においては、ネコアングル８を介して固定）されなくとも、床面Ｗから起立する部材等に固定されてもよい。
【００３０】
また、横材６は、山形鋼に限るものではなく、横方向Ｐに延びるように設けられるものであればどのようなものでもよい。また、横材６は、縦に並ぶように複数段設けられるが、その各段は、１本の横材６によって形成されなくとも、複数の横材６、６が横に連なるように並ぶものであってもよい。
【００３１】
また、セパレーター支持部材７は、横材６に横方向Ｐに移動可能に係合する係合部７ａ（詳しくは、フック部７ｃ）と、セパレーター４がねじ込まれる雌ねじ部７ｂとを有していれば、どのような形状であってもよい。
【００３２】
また、壁体は、山留壁１からならなくとも、例えば山留壁の前に配置した、型わくのせき板を構成する鉄板、その他の板材等からなる板壁からなっていてもよい。つまり、本発明における、セパレーター支持部材７を含む支持構造５は、相対向位置する型わく間（あるいは、せき板間）の打設空間にコンクリート類を打設してコンクリート類構築物を形成するにあたっても用いることができる。
【符号の説明】
【００３３】
１  山留壁（壁体）
２  型わく
３  打設空間
４  セパレーター
５  支持構造
６  横材
７  セパレーター支持部材
７ａ  係合部
７ｂ  雌ねじ部
７ｃ  フック部
７ｅ  延設部
Ｐ  横方向
【図１】
2015083751.tif 000003
【図２】
2015083751.tif 000004
【図３】
2015083751.tif 000005